(57)【特許請求の範囲】
【請求項１】
時計機能部品を内蔵する内胴と、
前記内胴の外形に合わせた収納部を形成するとともに腕に巻きつけるベルトを取り付けた外胴と、
前記内胴を前記外胴に固定させる縁とを備え、
前記縁は、ばね突起部が一体に形成されたばね部材を有する前記外胴と前記縁とを着脱するためのバヨネット部品を取り付け、
前記外胴は、前記ばね突起部が摺動する溝と、前記溝には前記ばね突起部が嵌ってクリック感を発生しかつ前記バヨネット部品の位置決めを行うクリック穴とを有し、
前記外胴と前記縁との間に前記内胴を挟み込んで組み立てたことを特徴とする腕時計。
【請求項２】
時計機能部品を内蔵する内胴と、
前記内胴の外形に合わせた収納部を形成するとともに腕に巻きつけるベルトを取り付けた外胴と、
前記内胴を前記外胴に固定させる縁とを備え、
前記外胴は、ばね突起部が一体に形成されたばね部材を有する前記外胴と前記縁とを着脱するためのバヨネット部品を取り付け、
前記縁は、前記ばね突起部が摺動する溝と、前記溝には前記ばね突起部が嵌ってクリック感を発生しかつ前記バヨネット部品の位置決めを行うクリック穴とを有し、
前記外胴と前記縁との間に前記内胴を挟み込んで組み立てたことを特徴とする腕時計。
【請求項３】
時計機能部品を内蔵する内胴と、
前記内胴の外形に合わせた収納部を形成するとともに腕に巻きつけるベルトを取り付けた外胴と、
前記内胴を前記外胴に固定させる縁とを備え、
前記縁は、ばね突起部が一体に形成されたばね部材を有する前記縁と前記内胴及び前記縁と前記外胴を着脱するためのバヨネット部品を取り付け、
前記内胴は、前記ばね突起部が摺動する溝と、前記溝には前記ばね突起部が嵌ってクリック感を発生しかつ前記バヨネット部品の位置決めを行うクリック穴とを有し、
前記外胴と前記縁との間に前記内胴を挟み込んで組み立てたことを特徴とする腕時計。
【発明の詳細な説明】
【０００１】
【発明の属する技術分野】
この発明は、腕時計の縁取付構造および腕時計の組立構造に関し、更に詳しくは、ユーザー自身によって縁を容易に交換可能にして、デザイン性の高い腕時計を提供する腕時計に関する。
【０００２】
【従来の技術】
一般に、腕時計は、文字盤を保護するガラスの周りに装飾を施した縁を取り付けてデザイン性を追求したものが知られている。その縁は、腕時計の外形に合わせたドーナツ形状をしており、腕時計の表面に取り付けられる。また、その縁は、時計機構自体を収納するケース本体の蓋としての機能も兼ねたものが一般的である。この場合、縁は、ドーナツ形状の穴部にガラス体を接着または溶着し、パッキンを間に挟んで時計のケース本体に押し付けて密閉させて取り付け、特殊な工具や特殊な技術・技能を使用しなければ取り外せないようになっている。一方、いわゆる回転ベゼル構造によって取り付けられる縁は、ケース本体に対して回転自在に取り付けられ、同様に特殊な工具や特殊な技術・技能を使用しなければ取り外せないように取り付けられる。
【０００３】
【発明が解決しようとする課題】
しかしながら、上述の従来の腕時計では、特殊な工具や特殊な技術・技能を使用しないと縁を取り外せないため、縁の交換を容易に行うことができず、ユーザーの好みに合わせた縁を取り付けた腕時計を提供する上で、設計上の制限を与えてしまう問題点があった。
【０００４】
そこで、この発明は、上記に鑑みてなされたものであって、ユーザーの好みに合わせた縁を取り付ける腕時計の設計の自由度を拡大させ、特殊な工具や特殊な技術・技能を使用しないユーザー自身によっても容易に縁を交換することができる腕時計を提供することを目的とする。
【０００５】
【課題を解決するための手段】
上述の目的を達成するために、この発明は、腕時計の縁と、この縁を除いた本体とをバヨネット構造を含む螺合構造とし、縁および本体の対向面の一方側に設けられ且つ弾性部材によって他方側に付勢された先端半球状或いは山形状の突部と、他方側に設けられ且つ前記突部の先端が嵌るくぼみ部と、を備えたことを特徴とする。また、前記縁には、本体との対向面側に突部を一体に形成した弾性部材からなるバヨネット部品を取り付け、前記本体には、縁との対向面側にくぼみ部を備えてもよい。また、前記くぼみ部は、形成面に対して突出させた突出部によって囲まれて形成してもよい。
【０００６】
また、この発明は、時計機能部品を内蔵する内胴と、この内胴の外形に合わせた収納部を形成するとともに腕に巻きつけるベルトを取り付けた外胴と、前記内胴を前記外胴に固定させる縁とを備え、外胴と縁との間に内胴を挟み込んで組み立てたことを特徴とする。
【０００７】
【発明の実施の形態】
以下、この発明につき図面を参照しつつ詳細に説明する。なお、この実施の形態によりこの発明が限定されるものではない。
【０００８】
図１は、この発明の実施の形態の腕時計の側面図である。図２は、この発明の実施の形態の腕時計の組立構造を示す分解側面図である。図１および図２に示すように、この腕時計１００は、破線で示すベルトを取り付ける外胴１０と、この外胴１０に取り付けられる内胴２０と、この内胴２０を外胴１０に固定するとともにデザインを施した縁３０とで構成され、外胴１０に内胴２０を嵌め、その内胴２０を外胴１０に固定するように縁３０を外胴１０に螺合させて組み立てた構造である。以下、この腕時計１００を構成する外胴１０、内胴２０、縁３０について順に説明する。
【０００９】
図３は、この発明の実施の形態の腕時計を構成する外胴の説明図である。図４は、図３に示すＡ−ａ断面図である。なお、図３の（ａ）に表平面図、（ｂ）に一部切り欠き側面図、（ｃ）に一部切り欠き側面図を示す。図３に示すように、この外胴１０は、ドーナツ形状に形成してあり、円周を３等分するように扇形状の溝１１ａ，１１ｂ，１１ｃを間隔を空けて上部側（時計表面側）に設けてある。
【００１０】
また、図４（図３）に示すように、溝１１ｃには断面くさび状にクリック穴１２ｃを設けてある。外胴１０の上部側（時計表面側）には、突出縁部１３ａを形成した円柱状の嵌合部１３を突設してある。同様に、図３に示すように、溝１１ａ，１１ｂにも、クリック穴１２ａ，１２ｂを設けてある。また、外胴１０の上部側（時計表面側）には、突出縁部１３ａ，１３ｂを形成した円柱状の嵌合部１３を突設してある。また、この外胴１０の穴部分の内壁には、切り欠き部（以下「切欠部」と省略する。）１４を設けてある。さらに、この外胴１０の周縁には、位置決め穴１５ａ，１５ｂを設けてある。位置決め穴１５ａは、縁３０の取り外し時および嵌め込み時の位置決め穴である。位置決め穴１５ｂは、縁３０のロック位置である。
【００１１】
図５は、この発明の実施の形態の腕時計を構成する内胴の一部断面側面図である。この内胴２０は、図示しないアナログ時計のムーブメントやデジタル時計のモジュール等を密閉した状態で内蔵するものであり、円筒状の内胴本体２１と、この内胴本体２１の下端側（時計裏側）に取り付ける裏ぶた２２と、この裏ぶた２２と内胴本体２１との水密性を確保するための裏ぶたパッキン２３と、内胴本体２１の上端側（時計表側）に取り付ける半球形状のガラス体２４と、内胴本体２１の周縁に設けた位置決め突起２５と、胴パッキン喰付け溝２６とを備えている。
【００１２】
なお、ガラス体２４と内胴本体２１との接続は、ここでは、接着による場合を示してあるが、これに限らず、たとえば、プラスチック等のパッキンを挟み込んでガラス体２４を内胴本体２１に固定するプラ直や溶着等によってもよい。また、裏ぶた２２と内胴本体２１との接続は、ここでは、裏ぶたパッキン２３を介して、螺合構造による場合を示してあるが、これに限らず、たとえば、だぼ喰付けや小ネジ止め等の構造でもよい。
【００１３】
図６は、この発明の実施の形態の腕時計を構成する縁の説明図である。この縁３０は、ドーナツ形状に形成され、上側（時計表側）に飾りを施した飾り縁本体３１と、この飾り縁本体３１の外周に設けた前記外胴１０と位置合わせを行うための目印穴３２と、飾り縁本体３１の裏面側の内壁に沿って取り付けたドーナツ形状のバヨネット部品３３とを備えている。以下、さらに、前記バヨネット部品３３を説明する。
【００１４】
図７は、この発明の実施の形態の腕時計を構成する外胴のバヨネット部品の説明図である。図８は、図７に示すＢ−ｂ断面図である。図９は、図７に示すＣ−ｃ断面およびＤ矢視図である。なお、図７の（ａ）に表平面図、（ｂ）に裏平面図、（ｃ）に一部切り欠き側面図を示す。図８（図７）に示すように、このバヨネット部品３３には、その裏平面側（時計裏側）に向けてばね突起部３４ａを設けたばね部材３５ａを一体に形成してある。同様に、図７に示すように、このバヨネット部品３３には、その裏平面側（時計裏側）に向けてばね突起部３４ｂ，３４ｃを設けたばね部材３５ｂ，３５ｃを一体に形成してある。
【００１５】
また、図９（図７）に示すように、このバヨネット部品３３には、その内壁面側に向けて突出させたバヨネット部３６ａを一体に形成してある。このバヨネット部３６ａは、縁２０を外胴１０に嵌める時および取り外す時には、突出縁部１３ｃ，１３ａの間に位置し、ロック時には、突出縁部１３ａに引っかかることによって縁２０が外胴１０から外れないように作用する。同様に、図７に示すように、このバヨネット部品３３には、その内壁面側に向けて突出させたバヨネット部３６ｂ，３６ｃを一体に形成してある。このバヨネット部３６ｂ，３６ｃは、縁２０を外胴１０に嵌める時および取り外す時には、それぞれ突出縁部１３ａ，１３ｂ、突出縁部１３ｂ，１３ｃの間に位置し、ロック時には、それぞれ突出縁部１３ｂ，１３ｃに引っかかることによって縁２０が外胴１０から外れないように作用する。
【００１６】
さらに、このバヨネット部品３３には、図７に示すように、その裏平面側（時計裏側）に向けてストッパー３７ａ，３７ｂ，３７ｃを一体に形成してある。このストッパー３７ａ，３７ｂ，３７ｃは、外胴１０のクリック穴１２ａ，１２ｂ，１２ｃにそれぞれ嵌る穴である。なお、前記バヨネット部品３３の材質は、弾性および耐久性の点からＰＯＭ（ポリオキシメチレン）材が好ましいが、ＡＢＳ（アクリロニトリル−ブタジエン−スチレン樹脂）材やＰＣ（ポリカーボネート）材等でもよい。
【００１７】
次に、図２に示したように、外胴１０に内胴２０を嵌め、その内胴２０を外胴１０に固定するように組み立てていくときの組立手順を説明する。まず、バヨネット部３６ａ，３６ｂ，３６ｃ（図７等参照）が、突出縁部１３ａ，１３ｂ，１３ｃ（図３等参照）のそれぞれの間に嵌るようにして、縁３０を外胴１０に重ねる。次に、図３の（ａ）に示す表平面側から見た場合に、縁３０を時計方向に回転させると、バヨネット部３６ａ，３６ｂ，３６ｃ（図７等参照）が、突出縁部１３ａ，１３ｂ，１３ｃ（図３等参照）の下側に入り込んでいく。
【００１８】
これと同時に、ばね突起部３４ｃ等（図７等参照）が溝１１ｃ上を摺動する。このとき、ばね部材３５ｃ等（図７等参照）は、溝１１ｃによって押され、上側（時計表側）に向けて付勢された状態となっている。そして、さらに時計方向に回転させると、クリック穴１２ｃにばね突起部３４ｃが弾性力によって嵌り込んでロックされる。このように、クリック穴１２ｃにばね突起部３４ｃが弾性力によって嵌り込むとことによって、ユーザーにクリック感を与え、縁３０の取り付けが所定の位置になったことを認識させることができる。
【００１９】
次に、上述のようにして組み立てられたときの腕時計１００の構造を説明する。図１０は、この発明の実施の形態の腕時計の組立構造を示す組立断面図である。図１０に示すように、この腕時計１００は、時計機能を実現する電子回路等を含むモジュール４０を内蔵する内胴２１の本体と外胴１０との間に胴パッキン５０を配置し、飾り縁本体３１の内壁面によって内胴本体２１の周縁上端面を押え付け、ばね突起部３４ｃ等がクリック穴１２ｃ等に嵌った状態でロックされる構造となっている。なお、縁３０の穴部分からガラス体２４が突出し、また、裏ぶた２２が外胴１０の裏面側に位置している。
【００２０】
なお、この実施の形態では、ばね突起部３４ｃ等をクリック穴１２ｃ等に嵌め込むことによって、縁３０を外胴１０にロックする縁取付構造を説明したが、以下に、他の例１〜４を説明する。なお、上述した縁取付構造や後述する他の例１〜４の以外でも、同様の作用を有する構造であればどのような構造でもよい。
【００２１】
図１１は、この発明の実施の形態の腕時計の縁取付構造の他の例１を示す断面図である。この他の例１の腕時計は、外胴６０側にバヨネット部品６１を取り付けた構造である。つまり、このバヨネット部品６１には、前記ばね突起部３４ａ等に相当するばね突起部６１ａ等を一体に形成してあり、また、縁６２側には、前記溝１１ａ等に相当する溝６３ａ等を形成し、前記クリック穴１２ａ等に相当するクリック穴６４ａを設けた構造である。なお、内胴６５は、前記内胴２０と同様とする。ただし、図中、ガラス体や裏ぶたは省略してある。
【００２２】
図１２は、この発明の実施の形態の腕時計の縁取付構造の他の例２を  示す断面図である。この他の例２の腕時計は、縁７０側にバヨネット部品７１を取り付  け、溝７２ａ等と、クリック穴７３ａ等を内胴７４に設けた構造である。つまり、その  バヨネット部品７１には、前記ばね突起部３４ａ等に相当するばね突起部７１ａ等を一  体に形成してあり、また、内胴７４の周縁には、前記溝１１ａ等に相当する溝７２ａ等  を形成し、前記クリック穴１２ａ等に相当するクリック穴７３ａを設けた構造である。  なお、外胴７５は、前記内胴１０とクリック穴等が無い点が相違する。なお、図中、内  胴７４のガラス体や裏ぶたは省略してある。
【００２３】
図１３は、この発明の実施の形態の腕時計の縁取付構造の他の例３を示す断面図である。この他の例３の腕時計は、外胴８０側につるまきばね部材８１ａ等を取り付け、縁８２側に設けたクリック穴８３ａ等によって、ロックする構造である。なお、つるまきばね部材８１ａ等は、外胴８０に設けた穴８４ａ等内に挿入され、突出する先端に球体８５ａ等を取り付けてある。また、図中、内胴８６のガラス体や裏ぶたは省略してある。
【００２４】
図１４は、この発明の実施の形態の腕時計の縁取付構造の他の例４を示す断面図である。この他の例４の腕時計は、前記クリック穴１２ｃの代わりに、外胴９０にストッパー突起９２ａ，９３ａ等を設け、縁９４に取り付けられるバヨネット部９４のばね突起部９４ａ等がストッパー突起９２ａ，９３ａ等の間でせき止められるようにした構造である。なお、ストッパー突起９３ａには、縁９４を外胴９０に取り付けるときに回転させる方向に回しやすいように、テーパー面９５ａ等を形成してある。
【００２５】
なお、上記実施の形態では、外胴１０に溝１１ａ，１１ｂ，１１ｃを設けた場合を説明したが、その溝１１ａ，１１ｂ，１１ｃは必ずしも設ける必要はない。また、三つの溝１１ａ，１１ｂ，１１ｃを設けた場合を説明したが、その数はこれに限定されず幾つでも良い。同様に、クリック穴１２ａ，１２ｂ，１２ｃやばね突起部３５ａ，３５ｂ，３５ｃの数もこれに限定されず、幾つでも良い。また、この実施の形態では、内胴２０のガラス体２４の形状を半球状としたが、これに限らず、平板状であってもよい。
【００２６】
また、外胴１０、内胴２０（ガラス体を除く）、飾り縁本体３１の材質は、金属、樹脂などいずれでもよい。また、この実施の形態の腕時計の縁取付構造は、外胴１０と内胴２０とに縁３０を取り付ける構造であるが、従来の腕時計のケース本体に対して直接縁を取り付ける場合にも同様の構造とすることが可能である。さらに、縁３０を外胴１０に螺合させて固定して取り付ける螺合構造としては、上述した実施の形態の場合に限らず、たとえば、二条ネジなどの構造としてもよい。
【００２７】
上記実施の形態によれば、バヨネット部品を弾性部材とし、このバヨネット部品に形成したばね突起部が外胴上を摺動する構造としため、外胴に胴にキズがつきにくく、また、表面処理等の摩耗も少なくなる。また、ばね突起部とクリック穴とによって位置決めを容易に行えるようになる。たとえば、縁に目盛り等位置に関する模様が付けても、その位置合わせを容易に行えるようになる。このため、デザイン性の拡大およびユーザー交換操作が容易となる。また、ばね突起部がクリック穴にその弾性力によって嵌り込んでいるため、衝撃等でのゆるみが発生しにくく、携帯中の脱落を少なくすることができる。
【００２８】
したがって、上記実施の形態によれば、内胴を取りかえることによって、好きなデザインの縁やベルト（外胴）に機能の異なる腕時計本体（内胴）を取りつけることができるようになる。たとえば、アナログ仕様の時計本体（内胴）をデジタル仕様の時計本体（内胴）と交換して使用することが可能になる。また、縁を交換することが容易にできるため、縁のデザインを豊富に取り揃えることによって、ユーザーの好みに合わせたデザインの腕時計を提供しやすくなる。また、ユーザーは、ＴＰＯに合わせたり、その日の気分によってデザインや機能の異なる腕時計を使うことができるようになり、ユーザーの嗜好に合わせた腕時計を容易に提供することができるようになる。
【００２９】
【発明の効果】
以上説明したように、この発明の腕時計の縁取付構造によれば、縁を交換することが容易にできるため、縁のデザインを豊富に取り揃えることによって、ユーザーの好みに合わせたデザインの腕時計を提供しやすくなる効果を奏する。また、ユーザーは、ＴＰＯに合わせたり、その日の気分によってデザインの異なる腕時計を使うことができるようになり、ユーザーの嗜好に合わせた腕時計を容易に提供することができる効果を奏する。
【００３０】
また、この発明の腕時計の組立構造によれば、内胴を取りかえることによって、好きなデザインの縁やベルト（外胴）に機能の異なる腕時計本体（内胴）を取りつけることができる効果を奏する。たとえば、アナログ仕様の時計本体（内胴）をデジタル仕様の時計本体（内胴）と交換して使用することが可能になる。
【図面の簡単な説明】
【図１】この発明の実施の形態の腕時計の側面図である。
【図２】この発明の実施の形態の腕時計の組立構造を示す分解側面図である。
【図３】この発明の実施の形態の腕時計を構成する外胴の説明図である。
【図４】図３に示すＡ−ａ断面図である。
【図５】この発明の実施の形態の腕時計を構成する内胴の一部断面側面図である。
【図６】この発明の実施の形態の腕時計を構成する縁の説明図である。
【図７】この発明の実施の形態の腕時計を構成する外胴のバヨネット部品の説明図である。
【図８】図７に示すＢ−ｂ断面図である。
【図９】図７に示すＣ−ｃ断面およびＤ矢視図である。
【図１０】この発明の実施の形態の腕時計の組立構造を示す組立断面図である。
【図１１】この発明の実施の形態の腕時計の縁取付構造の別の例１を示す断面図である。
【図１２】この発明の実施の形態の腕時計の縁取付構造の別の例２を示す断面図である。
【図１３】この発明の実施の形態の腕時計の縁取付構造の別の例３を示す断面図である。
【図１４】この発明の実施の形態の腕時計の縁取付構造の別の例４を示す断面図である。
【符号の説明】
１００  腕時計
１０  外胴
１１ａ，１１ｂ，１１ｃ  溝
１２ａ，１２ｂ，１２ｃ  クリック穴
１３  嵌合部
１３ａ，１３ｂ，１３ｃ  突出縁部
１４  切欠部
２０  内胴
２１  内胴本体
２２  裏ぶた
２３  裏ぶたパッキン
２４  ガラス体
２５  位置決め突起
２６  胴パッキン喰付け溝
３０  縁
３１  飾り縁本体
３２  目印穴
３３  バヨネット部品
３４ａ，３４ｂ，３４ｃ  ばね突起部
３５ａ，３５ｂ，３５ｃ  ばね部材
３６ａ，３６ｂ，３６ｃ  バヨネット部
３７ａ，３７ｂ，３７ｃ  ストッパー
４０  モジュール
５０  胴パッキン
【図１】
0003753933.tif 000002
【図２】
0003753933.tif 000003
【図３】
0003753933.tif 000004
【図４】
0003753933.tif 000005
【図５】
0003753933.tif 000006
【図６】
0003753933.tif 000007
【図７】
0003753933.tif 000008
【図８】
0003753933.tif 000009
【図９】
0003753933.tif 000010
【図１０】
0003753933.tif 000011
【図１１】
0003753933.tif 000012
【図１２】
0003753933.tif 000013
【図１３】
0003753933.tif 000014
【図１４】
0003753933.tif 000015